(57)【要約】【課題】視聴者に提供されるコンテンツの音声に埋め込まれた電子透かしを利用して、そのコンテンツの再生（視聴）時間等から視聴者を分類した情報が得られるようにする。【解決手段】音声データに一定の時間ごとに電子透かしが埋め込まれたコンテンツを再生するコンテンツ再生部１２と、コンテンツ再生部１２が再生したコンテンツの音声データから前記電子透かしを抽出し、それをコードデータに変換して出力する電子透かし抽出部１３と、電子透かし抽出部１３が出力したコードデータから、コンテンツ再生部１２が再生したコンテンツの再生時間を求め、この再生時間に基づいて前記コンテンツの視聴者を分類した視聴者分類情報を生成する視聴者分類情報生成部１４と、視聴者分類情報生成部１４が生成した視聴者分類情報を記憶する記憶部１６とを備えたコンテンツ視聴者分類情報生成システム１０。【選択図】図１
2017182468.tif 000002
【特許請求の範囲】
【請求項１】
音声データに一定の時間ごとに電子透かしが埋め込まれたコンテンツを再生するコンテンツ再生手段と、
前記コンテンツ再生手段が再生したコンテンツの音声データから前記電子透かしを抽出し、それをコードデータに変換して出力する電子透かし抽出手段と、
この電子透かし抽出手段が出力したコードデータから、前記コンテンツ再生手段が再生したコンテンツの再生時間を求め、この再生時間に基づいて前記コンテンツの視聴者を分類した視聴者分類情報を生成する視聴者分類情報生成手段と、
この視聴者分類情報生成手段が生成した視聴者分類情報を記憶する記憶手段と
を備えたことを特徴とするコンテンツ視聴者分類情報生成システム。
【請求項２】
前記コンテンツ再生手段が再生するコンテンツを受信するコンテンツ受信手段をさらに備えたことを特徴とする請求項１記載のコンテンツ視聴者分類情報生成システム。
【請求項３】
前記電子透かしは前記コンテンツの種類を表す種別情報を含み、前記視聴者分類情報生成手段は、前記コンテンツ再生手段が再生したコンテンツの再生時間及び前記電子透かし抽出手段が出力したコードデータから得られる前記種別情報に基づいて視聴者を分類した視聴者分類情報を生成することを特徴とする請求項１又は請求項２記載のコンテンツ視聴者分類情報生成システム。
【請求項４】
前記記憶手段に記憶された視聴者分類情報に基づいて、前記コンテンツの視聴者に配信すべき広告情報を作成する広告情報作成手段をさらに備えたことを特徴とする請求項１乃至請求項３に記載したコンテンツ視聴者分類情報生成システム。
【請求項５】
前記記憶手段に記憶された視聴者分類情報に基づいて、前記コンテンツの視聴者に分配すべき報酬情報を作成する報酬情報作成手段をさらに備えたことを特徴とする請求項１乃至請求項４に記載したコンテンツ視聴者分類情報生成システム。
【請求項６】
前記電子透かし抽出手段が出力したコードデータに基づいて、前記コンテンツ再生手段が再生したコンテンツの視聴情報を作成する視聴情報作成手段をさらに備えたことを特徴とする請求項１乃至請求項５に記載したコンテンツ視聴者分類情報生成システム。
【請求項７】
音声データに一定の時間ごとに電子透かしが埋め込まれたコンテンツを再生するコンテンツ再生手段と、
前記コンテンツ再生手段が再生したコンテンツの音声データから前記電子透かしを抽出し、それをコードデータに変換して出力する電子透かし抽出手段と、
この電子透かし抽出手段が出力したコードデータを送信する送信手段と、
を備えた端末装置と、
前記送信手段から送信されるコードデータを受信する受信手段と、
この受信手段が受信したコードデータから、前記コンテンツ再生手段が再生したコンテンツの再生時間を求め、この再生時間に基づいて視聴者を分類した視聴者分類情報を請求性する視聴者分類情報生成手段と、
この視聴者分類情報生成手段が生成した視聴者分類情報を記憶する記憶手段と
を備えたサーバーと
を備えたことを特徴とするコンテンツ視聴者分類情報生成システム。
【請求項８】
前記端末装置は、前記コンテンツ再生手段が再生するコンテンツを受信するコンテンツ受信手段をさらに備えたことを特徴とする請求項７記載のコンテンツ視聴者分類情報生成システム。
【請求項９】
前記電子透かしは前記コンテンツの種類を表す種別情報を含み、前記視聴者分類情報生成手段は、前記受信手段が受信したコードデータから得られる前記コンテンツの再生時間及び前記種別情報に基づいて視聴者を分類した視聴者分類情報を生成することを特徴とする請求項７又は請求項８記載のコンテンツ視聴者分類情報生成システム。
【請求項１０】
前記サーバーは、前記視聴情報記憶手段に記憶された視聴情報に基づいて、前記コンテンツの視聴者に配信すべき広告情報を作成する広告情報作成手段をさらに備えたことを特徴とする請求項７乃至請求項９に記載したコンテンツ視聴者分類情報生成システム。
【請求項１１】
前記サーバーは、前記視聴情報記憶手段に記憶された視聴情報に基づいて、前記コンテンツの視聴者に分配すべき報酬情報を作成する報酬情報作成手段をさらに備えたことを特徴とする請求項７乃至請求項１０に記載したコンテンツ視聴者分類情報生成システム。
【請求項１２】
前記サーバーは、前記電子透かし抽出手段が出力したコードデータに基づいて、前記コンテンツ再生手段が再生したコンテンツの視聴情報を作成する視聴情報作成手段をさらに備えたことを特徴とする請求項７乃至請求項１１に記載したコンテンツ視聴者分類情報生成システム。
【請求項１３】
コンテンツ再生手段が、音声データに一定の時間ごとに電子透かしが埋め込まれたコンテンツを再生し、
電子透かし抽出手段が、前記コンテンツ再生手段が再生したコンテンツの音声データから前記電子透かしを抽出し、それをコードデータに変換して出力し、
視聴者分類情報生成手段が、前記電子透かし抽出手段が出力したコードデータから、前記コンテンツ再生手段が再生したコンテンツの再生時間を求め、この再生時間に基づいて前記コンテンツの視聴者を分類した視聴者分類情報を生成し、
この視聴者分類情報生成手段が生成した視聴者分類情報を記憶手段に記憶する
ステップを備えたことを特徴とするコンテンツ視聴者分類情報生成方法。
【請求項１４】
コンテンツ再生手段が、音声データに一定の時間ごとに電子透かしが埋め込まれたコンテンツを再生し、
電子透かし抽出手段が、前記コンテンツ再生手段が再生したコンテンツの音声データから前記電子透かしを抽出し、それをコードデータに変換して出力し、
送信手段が、前記電子透かし抽出手段が出力したコードデータを送信し、
受信手段が、前記送信手段から送信されるコードデータを受信し、
視聴者分類情報生成手段が、前記受信手段が受信したコードデータから、前記コンテンツ再生手段が再生したコンテンツの再生時間を求め、この再生時間に基づいて前記コンテンツの視聴者を分類した視聴者分類情報を生成し、
この視聴者分類情報生成手段が生成した視聴者分類情報を記憶手段に記憶する
ステップを備えたことを特徴とするコンテンツ視聴者分類情報生成方法。
【請求項１５】
請求項１３又は請求項１４記載のコンテンツ視聴者分類情報生成方法をコンピュータに実行させるプログラム。
【発明の詳細な説明】
【技術分野】
【０００１】
本発明は、コンテンツの音声データに埋め込まれた電子透かしを利用して、コンテンツの視聴者を分類した情報を含むコンテンツの視聴情報を作成するコンテンツ視聴者分類情報生成システム、コンテンツ視聴者分類情報生成方法及びプログラムに関するものである。
【背景技術】
【０００２】
映像や音声等からなるコンテンツは、テレビ番組、ラジオ番組等の放送番組、インターネットによる動画等の配信、ＤＶＤ等を通じて視聴者に提供されているが、コンテンツ提供者にとって、そのコンテンツがどの程度視聴されているかの視聴状況を確認することは、きわめて重要である。
一方、コンテンツの不正利用等を防止する手段として、コンテンツの音声データ等に電子透かしを埋め込む技術が開発されているが、このコンテンツに埋め込んだ電子透かしを利用してコンテンツの視聴状況を確認等するシステムも提案されている。
例えば、特開２００９−２６８０３６号公報（特許文献１）においては、音響透かし重畳装置が、放送コンテンツの音声データに、その放送コンテンツを特定するためのコード等を、周知の音響透かし技術を用いて音声データ化して重畳し、放送局がこの音声データを含む放送データを送信し、テレビセンサが、テレビ装置のスピーカから放音された音声をマイクで収音し、音声に含まれる音響透かしを抽出して電子データ（コードデータ）に変換し、日時情報等をコードデータに付加して集計装置へ出力し、集計装置が、テレビセンサから送られてきたコードデータを集計し、この集計データに基づいて視聴状況や視聴率の確認等を詳細に分析することができる視聴確認システムが開示されている。
また、特開２０１０−１２４０３６号公報（特許文献２）には、コンテンツ内に、配信者情報、通知先情報を繰り返し記述した電子透かしを埋め込み、再生時に電子透かし内にある電子透かしを読み取りその内容にしたがって再生情報を、通知先である視聴実績管理装置を対して通知することにより、視聴実績管理装置において、電子透かし内の配信者情報で特定される配信者が提供したコンテンツの視聴数として計上するデジタルコンテンツ視聴実績管理システムが開示されている。
【０００３】
しかしながら、特許文献１の視聴確認システムにおいては、テレビセンサが、テレビ装置のスピーカから放音された音声をマイクで収音し、音声に含まれる音響透かしを抽出して電子データ（コードデータ）に変換するため、携帯端末装置等において、スピーカから音を出さずに配信されるコンテンツを再生する場合（この場合はイアホン等で音を再生する）には適用できないという問題がある。
また、この視聴確認システムでは、視聴状況や視聴率の確認しか行わないため、視聴時間等によって視聴者を分類した情報、例えば、配信されたコンテンツをすべて再生した優良の視聴者か一部しか再生しない優良でない視聴者といった情報までは得られないという問題がある。
次に、特許文献２のコンテンツ視聴実績管理システムにおいては、コンテンツのどのデータに電子透かしを埋め込んだのか明らかでなく、また、コンテンツの再生時に電子透かし内にある電子透かしを読み取りその内容にしたがって再生情報が通知されるため、コンテンツを再生したか否かの情報しか管理せず、視聴者がそのコンテンツをどの程度再生したか等の詳細な再生情報は得られないという問題がある。
【先行技術文献】
【特許文献】
【０００４】
【特許文献１】特開２００９−２６８０３６号公報
【特許文献２】特開２０１０−１２４０３６号公報
【発明の概要】
【発明が解決しようとする課題】
【０００５】
本発明が解決しようとする課題は、視聴者に提供されるコンテンツの音声に埋め込まれた電子透かしを利用して、そのコンテンツの再生（視聴）時間等から視聴者を分類した情報が得られるようにすることである。
【課題を解決するための手段】
【０００６】
本発明は、音声データに一定の時間ごとに電子透かしが埋め込まれたコンテンツを再生するコンテンツ再生手段と、前記コンテンツ再生手段が再生したコンテンツの音声データから前記電子透かしを抽出し、それをコードデータに変換して出力する電子透かし抽出手段と、この電子透かし抽出手段が出力したコードデータから、前記コンテンツ再生手段が再生したコンテンツの再生時間を求め、この再生時間に基づいて前記コンテンツの視聴者を分類した視聴者分類情報を生成する視聴者分類情報生成手段と、この視聴者分類情報生成手段が生成した視聴者分類情報を記憶する記憶手段とを備えたコンテンツ視聴者分類情報生成システムを提供して、上記課題を解決するものである。
【０００７】
本発明は、前記コンテンツ再生手段が再生するコンテンツを受信するコンテンツ受信手段をさらに備えたコンテンツ視聴者分類情報生成システムを提供して、上記課題を解決するものである。
【０００８】
本発明は、前記電子透かしは前記コンテンツの種類を表す種別情報を含み、前記視聴者分類情報生成手段は、前記コンテンツ再生手段が再生したコンテンツの再生時間及び前記電子透かし抽出手段が出力したコードデータから得られる前記種別情報に基づいて視聴者を分類した視聴者分類情報を生成するコンテンツ視聴者分類情報生成システムを提供して、上記課題を解決するものである。
【０００９】
本発明は、前記記憶手段に記憶された視聴者分類情報に基づいて、前記コンテンツの視聴者に配信すべき広告情報を作成する広告情報作成手段をさらに備えたコンテンツ視聴者分類情報生成システムを提供して、上記課題を解決するものである。
【００１０】
本発明は、前記記憶手段に記憶された視聴者分類情報に基づいて、前記コンテンツの視聴者に分配すべき報酬情報を作成する報酬情報作成手段をさらに備えたコンテンツ視聴者分類情報生成システムを提供して、上記課題を解決するものである。
【００１１】
本発明は、前記電子透かし抽出手段が出力したコードデータに基づいて、前記コンテンツ再生手段が再生したコンテンツの視聴情報を作成する視聴情報作成手段をさらに備えたコンテンツ視聴者分類情報生成システムを提供して、上記課題を解決するものである。
【００１２】
本発明は、音声データに一定の時間ごとに電子透かしが埋め込まれたコンテンツを再生するコンテンツ再生手段と、前記コンテンツ再生手段が再生したコンテンツの音声データから前記電子透かしを抽出し、それをコードデータに変換して出力する電子透かし抽出手段と、この電子透かし抽出手段が出力したコードデータを送信する送信手段とを備えた端末装置と、前記送信手段から送信されるコードデータを受信する受信手段と、この受信手段が受信したコードデータから、前記コンテンツ再生手段が再生したコンテンツの再生時間を求め、この再生時間に基づいて視聴者を分類した視聴者分類情報を請求性する視聴者分類情報生成手段と、この視聴者分類情報生成手段が生成した視聴者分類情報を記憶する記憶手段とを備えたサーバーとを備えたコンテンツ視聴者分類情報生成システムを提供して、上記課題を解決するものである。
【００１３】
本発明は、前記端末装置は、前記コンテンツ再生手段が再生するコンテンツを受信するコンテンツ受信手段をさらに備えたコンテンツ視聴者分類情報生成システムを提供して、上記課題を解決するものである。
【００１４】
本発明は、前記電子透かしは前記コンテンツの種類を表す種別情報を含み、前記視聴者分類情報生成手段は、前記受信手段が受信したコードデータから得られる前記コンテンツの再生時間及び前記種別情報に基づいて視聴者を分類した視聴者分類情報を生成するコンテンツ視聴者分類情報生成システムを提供して、上記課題を解決するものである。
【００１５】
本発明は、前記サーバーは、前記視聴情報記憶手段に記憶された視聴情報に基づいて、前記コンテンツの視聴者に配信すべき広告情報を作成する広告情報作成手段をさらに備えたコンテンツ視聴者分類情報生成システムを提供して、上記課題を解決するものである。
【００１６】
本発明は、前記サーバーは、前記視聴情報記憶手段に記憶された視聴情報に基づいて、前記コンテンツの視聴者に分配すべき報酬情報を作成する報酬情報作成手段をさらに備えたコンテンツ視聴者分類情報生成システムを提供して、上記課題を解決するものである。
【００１７】
本発明は、前記サーバーは、前記電子透かし抽出手段が出力したコードデータに基づいて、前記コンテンツ再生手段が再生したコンテンツの視聴情報を作成する視聴情報作成手段をさらに備えたコンテンツ視聴者分類情報生成システムを提供して、上記課題を解決するものである。
【００１８】
本発明は、コンテンツ再生手段が、音声データに一定の時間ごとに電子透かしが埋め込まれたコンテンツを再生し、電子透かし抽出手段が、前記コンテンツ再生手段が再生したコンテンツの音声データから前記電子透かしを抽出し、それをコードデータに変換して出力し、視聴者分類情報生成手段が、前記電子透かし抽出手段が出力したコードデータから、前記コンテンツ再生手段が再生したコンテンツの再生時間を求め、この再生時間に基づいて前記コンテンツの視聴者を分類した視聴者分類情報を生成し、この視聴者分類情報生成手段が生成した視聴者分類情報を記憶手段に記憶するステップを備えたコンテンツ視聴者分類情報生成方法を提供して、上記課題を解決するものである。
【００１９】
本発明は、コンテンツ再生手段が、音声データに一定の時間ごとに電子透かしが埋め込まれたコンテンツを再生し、電子透かし抽出手段が、前記コンテンツ再生手段が再生したコンテンツの音声データから前記電子透かしを抽出し、それをコードデータに変換して出力し、送信手段が、前記電子透かし抽出手段が出力したコードデータを送信し、受信手段が、前記送信手段から送信されるコードデータを受信し、視聴者分類情報生成手段が、前記受信手段が受信したコードデータから、前記コンテンツ再生手段が再生したコンテンツの再生時間を求め、この再生時間に基づいて前記コンテンツの視聴者を分類した視聴者分類情報を生成し、この視聴者分類情報生成手段が生成した視聴者分類情報を記憶手段に記憶するステップを備えたコンテンツ視聴者分類情報生成方法を提供して、上記課題を解決するものである。
【００２０】
本発明は、前記コンテンツ視聴者分類情報生成方法をコンピュータに実行させるプログラムを提供して、上記課題を解決するものである。
【発明の効果】
【００２１】
請求項１に記載の発明のコンテンツ視聴者分類情報生成システムにおいては、視聴者に提供されるコンテンツの音声に埋め込まれた電子透かしを利用して、そのコンテンツの再生（視聴）時間等から視聴者を分類した情報が得られるという効果を奏する。
【００２２】
請求項２に記載の発明のコンテンツ視聴者分類情報生成システムにおいては、請求項１に記載の発明と同様の効果を奏する。
【００２３】
請求項３に記載の発明のコンテンツ視聴者分類情報生成システムにおいては、さらに、視聴者の趣味・嗜好に対応して視聴者を分類した情報が得られるという効果を奏する。
【００２４】
請求項４に記載の発明のコンテンツ視聴者分類情報生成システムにおいては、前記記憶手段に記憶された視聴者分類情報に基づいて、前記コンテンツの視聴者に配信すべき広告情報が作成されるため、さらに、視聴者に新鮮さを与えたりするなどの広告を配信できるという効果を奏する。
【００２５】
請求項５に記載の発明のコンテンツ視聴者分類情報生成システムにおいては、前記記憶手段に記憶された視聴者分類情報に基づいて、前記コンテンツの視聴者に分配すべき報酬情報が作成されるため、さらに、視聴者のコンテンツの利用度合い等に対応した報酬が与えられ、コンテンツの利用の拡大を図ることができるという効果を奏する。
【００２６】
請求項６に記載の発明のコンテンツ視聴者分類情報生成システムにおいては、前記電子透かし抽出手段が出力したコードデータに基づいて、前記コンテンツ再生手段が再生したコンテンツの視聴情報がされるため、さらに、より詳細な視聴情報が得られるという効果を奏する。
【００２７】
請求項７に記載の発明のコンテンツ視聴者分類情報生成システムにおいては、視聴者に提供されるコンテンツの音声に埋め込まれた電子透かしを利用して、そのコンテンツの再生（視聴）時間等から視聴者を分類した情報が得られるという効果を奏する。
【００２８】
請求項８に記載の発明のコンテンツ視聴者分類情報生成システムにおいては、請求項７に記載の発明と同様の効果を奏する。
【００２９】
請求項９に記載の発明のコンテンツ視聴者分類情報生成システムにおいては、さらに、視聴者の趣味・嗜好に対応して視聴者を分類した情報が得られるという効果を奏する。
【００３０】
請求項１０に記載の発明のコンテンツ視聴者分類情報生成システムにおいては、前記記憶手段に記憶された視聴者分類情報に基づいて、前記コンテンツの視聴者に配信すべき広告情報が作成されるため、さらに、視聴者に新鮮さを与えたりするなどの広告を配信できるという効果を奏する。
【００３１】
請求項１１に記載の発明のコンテンツ視聴者分類情報生成システムにおいては、前記記憶手段に記憶された視聴者分類情報に基づいて、前記コンテンツの視聴者に分配すべき報酬情報が作成されるため、さらに、視聴者のコンテンツの利用度合い等に対応した報酬が与えられ、コンテンツの利用の拡大を図ることができるという効果を奏する。
【００３２】
請求項１２に記載の発明のコンテンツ視聴者分類情報生成システムにおいては、前記電子透かし抽出手段が出力したコードデータに基づいて、前記コンテンツ再生手段が再生したコンテンツの視聴情報がされるため、さらに、より詳細な視聴情報が得られるという効果を奏する。
【００３３】
請求項１３に記載の発明のコンテンツ視聴者分類情報生成方法においては、視聴者に提供されるコンテンツの音声に埋め込まれた電子透かしを利用して、そのコンテンツの再生（視聴）時間等から視聴者を分類した情報が得られるという効果を奏する。
【００３４】
請求項１４に記載の発明のコンテンツ視聴者分類情報生成方法においては、視聴者に提供されるコンテンツの音声に埋め込まれた電子透かしを利用して、そのコンテンツの再生（視聴）時間等から視聴者を分類した情報が得られるという効果を奏する。
【００３５】
請求項１５に記載の発明のプログラムにおいては、前記コンテンツ視聴者分類情報生成方法が奏する効果と同様の効果を奏する。
【図面の簡単な説明】
【００３６】
【図１】本発明のコンテンツ視聴者分類情報生成システムの一実施形態の構成を示すブロック図である。
【図２】本発明のコンテンツ視聴者分類情報生成システムの他の実施形態の構成を示すブロック図である。
【図３】コンテンツ再生部１２、３２が再生するコンテンツの構成の例を説明する説明図である。
【図４】コンテンツ再生部１２、３２が再生するコンテンツに埋め込まれた電子透かしのデータ構成の例を説明する説明図である。
【図５】視聴者分類情報生成部１４、４４が生成する視聴者分類情報の例を説明する説明図である。
【図６】視聴者分類情報生成部１４、４４が生成する視聴者分類情報の他の例を説明する説明図である。
【図７】視聴情報作成部１５、４５が作成する視聴情報の例を説明する説明図である。
【図８】視聴情報作成部１５、４５が作成する視聴情報に基づいて作成されたメディア別の毎分の視聴率の比較を説明するための説明図である。
【図９】広告情報作成部１７、４７が作成する広告情報の例を説明する説明図である。
【図１０】報酬情報作成部１８、４８が作成する報酬情報の例を説明する説明図である。
【図１１】コンテンツ視聴者分類情報生成システム１０の動作を示すフローチャートである。
【図１２】コンテンツ視聴者分類情報生成システム２０の動作を示すフローチャートである。
【図１３】広告情報作成部１７、４７等による広告情報の作成と広告情報の配信の動作を示すフローチャートである。
【図１４】報酬情報作成部１８、４８等による報酬情報の作成と報酬の分配の動作を示すフローチャートである。
【発明を実施するための形態】
【００３７】
［コンテンツ視聴者分類情報生成システムの構成］
図１は、本発明のコンテンツ視聴者分類情報生成システムの一実施形態の構成を示すブロック図である。図において、１０はコンテンツ視聴情報作成システム、１１はコンテンツ受信部、１２はコンテンツ再生部、１３は電子透かし抽出部、１４は視聴者分類情報生成部、１５は視聴情報作成部、１６は記憶部、１７は広告情報作成部、１８は報酬情報作成部である。
図に示すように、コンテンツ視聴者分類情報生成システム１０は、コンテンツ受信部１１、コンテンツ再生部１２、電子透かし抽出部１３、視聴者分類情報生成部１４、視聴情報作成部１５、記憶部１６、広告情報作成部１７、報酬情報作成部１８等から構成される。
【００３８】
コンテンツ受信部１１は、テレビ放送、ラジオ放送、インターネットによる動画配信等で配信されたコンテンツを受信する機器から構成される。具体的には、テレビ受信機、ラジオ受信機、無線受信機、モデム、ＬＡＮケーブル等のインターネット接続機器等により、コンテンツ受信部１１が構成される。
コンテンツ再生部１２は、コンテンツ受信部１１が受信したコンテンツを再生する制御機器、再生したコンテンンツを表示するディスプレイ、コンテンツの音声データを出力するスピーカー等により構成される。コンテンツを再生する制御機器は、テレビ番組を再生するテレビ回路、ラジオ番組を再生するラジオ回路、インターネットの動画を再生する制御機器（ソフトを含む）等により構成される。
また、コンテンツがＤＶＤ等の記録媒体で提供される場合、コンテンツ再生部１２は、ＤＶＤプレーヤー（レコーダー）等の記録媒体再生機器により構成され、ＤＶＤ等の記録媒体から直接コンテンツを再生する。
【００３９】
電子透かし抽出部１３は、コンテンツ再生部１２が再生したコンテンツの音声データに一定の時間ごとに含まれている電子透かしを抽出し、抽出した電子透かし（音声データ）をコードデータに変換して出力する。
視聴者分類情報生成部１４は、電子透かし抽出部１３が出力したコードデータから、コンテンツ再生部１２でのコンテンツの再生時間を求め、その再生時間に基づいてそのコンテツの視聴者（コンテンツの再生者）を分類した視聴者分類情報を生成する。
また、視聴者分類情報生成部１４は、コンテンツ再生部１２でのコンテンツの再生時間と電子透かし抽出部１３が出力したコードデータから得られるコンテンツの種別情報に基づいた視聴者分類情報も生成する。
視聴情報作成部１５は、電子透かし抽出部１３が出力したコードデータに基づいて、コンテンツ再生部１２が再生したコンテンツの視聴情報を作成する。
記憶部１６は、視聴者分類情報生成部１４が生成した視聴者分類情報や視聴情報作成部１５が作成した視聴情報を記憶する。
【００４０】
広告情報作成部１７は、記憶部１６に記憶された視聴者分類情報に基づいて、コンテンツの視聴者に配信すべき広告情報を作成する。
そして、広告情報作成部１７が作成した広告情報は、配信装置（図示せず）により通信回線（図示せず）を介して視聴者が所有するパソコン、スマートフォン等の端末装置（図示せず）に配信される。
報酬情報作成部１８は、記憶部１６に記憶された視聴者分類情報に基づいて、コンテンツの視聴者に分配すべき報酬情報（例えば、所定のポイント）を作成する。
そして、報酬情報作成部１８が作成した報酬情報に基づく報酬は、ポイント管理装置等の報酬分配装置（図示せず）において視聴者に分配される。
【００４１】
図２は、本発明のコンテンツ視聴者分類情報生成システムの他の実施形態の構成を示すブロック図である。図において、２０はコンテンツ視聴者分類情報生成システム、２１は通信回線、３０は端末装置、３１はコンテンツ受信部、３２はコンテンツ再生部、３３は電子透かし抽出部、３９は送信部、４０はサーバー、４１は受信部、４４は視聴者分類情報生成部、４５は視聴情報作成部、４６は記憶部、４７は広告情報作成部、４８は報酬情報作成部である。
図に示すように、コンテンツ視聴者分類情報生成システム２０は、端末装置３０、サーバー４０と両者を接続する通信回線２１とから構成され、端末装置３０は、コンテンツ受信部３１、コンテンツ再生部３２、電子透かし抽出部３３、送信部３９等から構成され、サーバー４０は、受信部４１、視聴者分類情報生成部４４、視聴情報作成部４５、記憶部４６、広告情報作成部４７、報酬情報作成部４８等から構成される。
【００４２】
端末装置３０は、スマートホーン、タブレット等の携帯端末、パソコン等から構成される。
コンテンツ受信部３１は、テレビ放送、ラジオ放送、インターネットによる動画配信等で配信されたコンテンツを受信する機器から構成される。具体的には、スマートホーン、タブレット等の携帯端末の無線受信機、パソコン等に接続されたモデム、ＬＡＮケーブル等のインターネット接続機器、携帯端末やパソコン等と接続されたテレビ受信機、ラジオ受信機等により構成される。
コンテンツ再生部３２は、コンテンツ受信部３１が受信したコンテンツを再生する制御機器、再生したコンテンンツを表示するディスプレイ、コンテンツの音声データを再生するスピーカー等により構成される。コンテンツを再生する制御機器は、携帯端末やパソコン等の動画・音声再生機器（ソフトを含む）、テレビ番組を再生するテレビ回路、ラジオ番組を再生するラジオ回路等により構成される。
また、コンテンツがＤＶＤ等の記録媒体で提供される場合、コンテンツ再生部３２は、ＤＶＤプレーヤー（レコーダー）等の記録媒体再生機器により構成され、ＤＶＤ等の記録媒体から直接コンテンツを再生する。
電子透かし抽出部３３は、コンテンツ再生部３２が再生したコンテンツの音声データに一定の時間ごとに含まれている電子透かしを抽出し、抽出した電子透かし（音声データ）をコードデータに変換して出力する。
送信部３９は、携帯端末やパソコン等の送信機器等から構成され、電子透かし抽出部３３が出力したコードデータを、通信回線２１を介してサーバー４０に送信する。
【００４３】
サーバー４０の受信部４１は、端末装置３０から送信されるコードデータを受信し、受信したコードデータを視聴者分類情報生成部４４と視聴情報作成部４５に送る。
視聴者分類情報生成部４４は、受信部４１から送られてきたコードデータから、コンテンツ再生部３２でのコンテンツの再生時間を求め、その再生時間に基づいてそのコンテツの視聴者（コンテンツの再生者）を分類した視聴者分類情報を生成する。
また、視聴者分類情報生成部４４は、受信部４１から送られてきたコードデータから得られるコンテンツの再生時間及びコンテンツの種別情報に基づいた視聴者分類情報も生成する。
視聴情報作成部４５は、受信部４１から送られてきたコードデータに基づいて、コンテンツ再生部３２が再生したコンテンツの視聴情報を作成する。
記憶部４６は、視聴者分類情報生成部４４が生成した視聴者分類情報や視聴情報作成部４５が作成した視聴情報を記憶する。
広告情報作成部４７は、記憶部４６に記憶された視聴者分類情報に基づいて、コンテンツの視聴者に配信すべき広告情報を作成する。
そして、広告情報作成部４７が作成した広告情報は、サーバー４０の配信装置（図示せず）により通信回線２１を介して端末装置３０に配信される。
報酬情報作成部４８は、記憶部４６に記憶された視聴者分類情報に基づいて、コンテンツの視聴者に分配すべき報酬情報（例えば、所定のポイント）を作成する。
そして、報酬情報作成部４８が作成した報酬情報に基づく報酬は、サーバー４０に設けられたポイント管理装置等の報酬分配装置（図示せず）により視聴者に分配される。
【００４４】
［電子透かし］
図３、図４は、コンテンツ再生部１２、３２が再生するコンテンツに埋め込まれた電子透かしの例を説明する説明図であり、図３は、電子透かしが埋め込まれたコンテンツの構成を表し、図４は、電子透かしのデータ構成を表している。図において、ＣＤはコンテンツデータ、ＰＤは映像データ、ＳＤは音声データ、Ｓ１、Ｓ２、Ｓ３、Ｓ９９、Ｓ１００は電子透かし、ｓｄ１はコンテンツ識別番号（ＩＤ）、ｓｄ２はメディア識別記号（ＩＤ）、ｓｄ３はコンテンツ種別情報、ｓｄ４は時間番号（１Ｄ）である。
以下、電子透かしが埋め込まれたコンテンツの構成及び電子透かしのデータ構成について説明する。
図３に示すように、コンテンツデータＣＤは、映像データＰＤと音声データＳＤとから構成される（ベッダ等は省略する）。そして、電子透かしＳ１〜Ｓ１００が、音声データＳＤに一定の時間ごと（例えば１分ごと）に重畳されて埋め込まれる。図３に示すコンテンツデータＣＤの再生時間は１００分であり、１分ごとに１００個の電子透かしＳ１〜Ｓ１００が音声データＳＤに埋め込まれる。
図４に示すように、音声データＳＤに埋め込まれた各電子透かしのデータは、コンテンツを特定するコンテンツ識別番号（ＩＤ）ｓｄ１、メディアの種類（テレビ、ラジオ、インターネット、ＤＶＤ等）を特定するメディア識別番号（ＩＤ）ｓｄ２、コンテンツの種類（スポーツ、ニュース、旅行等）を特定するコンテンツ種別情報ｓｄ３、コンテンツ再生時の経過時間を特定する時間番号（ＩＤ）ｓｄ４から構成される。
図４は電子透かしＳ１のデータ構成を示したもので、図４では、コンテンツ識別番号（ＩＤ）ｓｄ１は６ケタの英数字「c00001」からなり、メディア識別番号（ＩＤ）ｓｄ２は３ケタの英数字「m01」からなり、コンテンツ種別情報ｓｄ３は３ケタの英数字「a01」からなり、時間番号（ＩＤ）ｓｄ４は３ケタの数字「001」からなる。
【００４５】
［視聴者分類情報］
図５、図６は、視聴者分類情報生成部１４、４４が生成する視聴者分類情報の例を説明する説明図であり、以下、図に基づいて視聴者分類情報を説明する。
視聴者分類情報生成部１４、４４は、コンテンツ受信部１１、３１でコンテンツを受信する際に（コンテンツがＤＶＤ等の記録媒体で提供される場合はコンテンツ再生部１２、３２でコンテンツを再生する際に）、入力される視聴者ＩＤごとに、所定の期間内（例えば一か月）にコンテンツを再生した時間を集計し、図５に示すように、その集計時間から視聴者を「Ａ」、「Ｂ」、「Ｃ」にランク分けした視聴者分類情報を生成する。
この場合、コンテンツを再生した時間を集計は、電子透かし抽出部１３や受信部４１から送られてくるコードデータの時間番号ｓｄ４より各コンテンツの再生時間を求め、それを集計することにより行う。
具体的には、全視聴者の集計時間の平均値を求め、その平均値の２倍以上の集計時間の視聴者を高信用度の視聴者としてランク「Ａ」に分類し、集計時間が平均値の半分以下の視聴者を低信用度の視聴者としてランク「Ｃ」に分類し、それ以外の視聴者を中信用度の視聴者としてランク「Ｂ」に分類して、視聴者分類情報を生成する。
図５では、視聴者ＩＤ「０００１」の視聴者には「Ａ」、視聴者ＩＤ「０００２」の視聴者には「Ｃ」、視聴者ＩＤ「０００１」の視聴者には「Ｂ」の視聴者分類情報が付与されている。
【００４６】
また、視聴者分類情報生成部１４、４４は、視聴者ＩＤで特定される各視聴者について、各所定の期間内（例えば一か月）に、コンテンツ種別情報ごとに視聴割合（再生した時間／全時間）を求め、図６に示すように、最も視聴割合の高いコンテンツ種別情報を選定し、選定したコンテンツ種別情報を視聴者分類情報としてもよい。
この場合、コンテンツ種別を選定は、電子透かし抽出部１３や受信部４１から送られてくるコードデータの時間番号ｓｄ４より各コンテンツの再生時間を求め、それをコンテンツ種別情報ｓｄ３ごとに集計して、全時間（集計したコンテンツを最後まで再生した場合の時間の合計）に対する割合（視聴割合）を求め、最も視聴割合の高いコンテンツ種別情報を選定することにより行う。
図６では、視聴者ＩＤ「０００１」の視聴者にはコンテンツ種別情報「ｄ０５」、視聴者ＩＤ「０００２」の視聴者にはコンテンツ種別情報「ｈ０５」の視聴者分類情報が付与されている。
このように選定したコンテンツ種別情報を視聴者分類情報とすることにより、視聴者の趣味・嗜好に対応して視聴者分類情報を生成することができる。
【００４７】
［視聴情報］
図７は、視聴情報作成部１５、４５が作成する視聴情報の例を説明する説明図であり、以下、図に基づいて視聴情報を説明する。
視聴情報作成部１５、４５は、コンテンツが再生されるごとに、電子透かし抽出部１３、受信部４１から送られてくるコードデータから得られるコンテンツ識別番号（ＩＤ）、メディア識別番号（ＩＤ）、コンテンツ種別情報、視聴（再生）開始時間、視聴（再生）終了時間に、コンテンツを受信等する際に入力される視聴者ＩＤ、視聴日（再生日）を加え、これに履歴ＩＤを付した視聴情報を作成する。
図７に示す視聴情報では、履歴ＩＤ「00001」については、視聴者ＩＤ「1001」、コンテンツＩＤ「c01011」、メディアＩＤ「m01」、コンテンツ種別情報「a01」、視聴開始時間「001」、視聴終了時間「010」、視聴日「20160301」となっている。
図８は、視聴情報作成部１５、４５が作成する視聴情報に基づいて作成されたメディア別の毎分の視聴率の比較を説明するための説明図である。
図８においては、コンテンツＩＤ「c01011」で特定されるコンテンツについて、すべての履歴ＩＤを抽出し、メディアＩＤごとに分単位で視聴時間を集計して求めた視聴率が示され、メディアＩＤ「m01」の視聴率は実線で示され、メディアＩＤ「m0５」の視聴率は破線で示され、メディアＩＤ「m0９」の視聴率は一点鎖線で示されている。
【００４８】
［広告情報］
図９は、広告情報作成部１７、４７が作成する広告情報の例を説明する説明図であり、以下、図に基づいて広告情報を説明する。
図９において、「視聴者分類情報」は、視聴者分類情報生成部１４、４４が生成したもので、図５に示す視聴者分類情報と同じである。
「配信広告ＩＤ」は、コンテンツ再生部１２、３２でコンテンツが再生された時に配信される広告の内容を特定するもので、「前回」は、視聴者分類情報生成部１４、４４が視聴者分類情報を生成する前に各視聴者に配信した広告の内容を特定する配信広告ＩＤであり、「次回」は、視聴者分類情報生成部１４、４４が視聴者分類情報を生成した後に、各視聴者に配信すべき広告の内容を特定する配信広告ＩＤである。
広告情報作成部１７、４７は、視聴者ＩＤで特定される視聴者に対し、記憶部１６、４６に記憶されている視聴者分類情報に基づいて、次回、すなわち、次にコンテンツが再生された場合に配信すべき広告を特定する配信広告ＩＤを広告情報として作成する。
具体的には、図９に示すように、視聴者ＩＤ「０００１」、「０００２」、「０１００」で特定される視聴者について、前回（視聴者分類情報生成前）配信した広告が、それぞれ配信広告ＩＤ「ｋ１００」、「ｋ３００」、「ｋ２００」で特定される広告であり、各視聴者の視聴者分類情報が「Ａ」、「Ｃ」、「Ｂ」の場合、次回各視聴者に配信すべき広告は、それぞれ配信広告ＩＤ「ｋ３００」、「ｋ２００」、「ｋ３００」で特定される広告となる。
すなわち、視聴者分類情報Ａ、Ｂの高信用度、中信用度の視聴者に対しては、視聴者分類情報Ｃの低信用度の視聴者に配信した広告（配信広告ＩＤ「ｋ３００」の広告）を配信し、視聴者分類情報Ｃの低信用度の視聴者に対しては、視聴者分類情報Ｂの中信用度の視聴者に配した広告（配信広告ＩＤ「ｋ２００」の広告）を配信するようにする。
このように次回各視聴者に配信される広告の内容を、前回配信されたものと変えることにより、視聴者に新鮮さを与え、コンテンツの再生時間（視聴時間）を長くさせ、コンテンツの利用を拡大させることができる。
【００４９】
また、視聴者分類情報生成部１４、４４が生成する視聴者分類情報が、図６に示すようなコンテンツ種別情報である場合、広告情報作成部１７、４７は、視聴者ＩＤで特定される視聴者に対し、記憶部１６、４６に記憶されている視聴者分類情報であるコンテンツ種別情報に基づいて、そのコンテンツ種別情報に対応する内容の広告を特定する配信広告ＩＤを広告情報として作成する。
これにより、視聴者に、その視聴者の趣味・嗜好に対応した内容の広告を配信することができるようになる。
【００５０】
［報酬情報］
図１０は、報酬情報作成部１８、４８が作成する報酬情報の例を説明する説明図であり、以下、図に基づいて報酬情報を説明する。
図１０において、「視聴者分類情報」は、視聴者分類情報生成部１４、４４が生成したもので、図５に示す視聴者分類情報と同じである。
図１０において、「付与ポイント」は、各視聴者に対して、コンテンツの利用が拡大すること等により得られた収益の一部を還元するために分配すべき報酬情報である。
報酬情報作成部１８、４８は、視聴者ＩＤで特定される視聴者に対し、記憶部１６、４６に記憶されている視聴者分類情報に基づいて、付与ポイントを決定し、それを報酬情報とする。
具体的には、図１０に示すように、視聴者ＩＤ「０００１」、「０００２」、「０１００」で特定される視聴者の視聴者分類情報が「Ａ」、「Ｃ」、「Ｂ」の場合、各視聴者に付与ポントは、それぞれ「２００」、「０」、「５０」となる。
すなわち、視聴者分類情報Ａの高信用度の視聴者に対しては、報酬として多くのポイントを与え、視聴者分類情報Ｂの中信用度の視聴者に対しては、少ないポイントを与え、視聴者分類情報Ｃの低信用度の視聴者に対しては、ポイントを与えないようにする。
これにより、視聴者に、その視聴者のコンテンツの利用度合いに対応した報酬が与えられ、コンテンツの利用の拡大を図ることができる。
【００５１】
［コンテンツ視聴者分類情報生成システム１０の動作］
図１１は、コンテンツ視聴者分類情報生成システム１０の動作を示すフローチャートであり、以下図に基づいてコンテンツ視聴者分類情報生成システム１０の動作を説明する。
まず、コンテンツ視聴者分類情報生成システム１０を動作させるアプリケーション（プログラム）を起動させ（Ｓ１）、視聴者ＩＤを入力する（Ｓ２）。視聴者ＩＤの入力は、視聴者がコンテンツ視聴者分類情報生成システム１０の入力部（図示せず）を操作することにより行われる。
次いで、コンテンツ受信部１１が、テレビ放送、ラジオ放送、インターネット等により配信されるコンテンツを受信する（Ｓ３）。コンテンツ受信部１１が受信するコンテンツの音声データには、一定の時間ごとに電子透かしが埋め込まれている。
次いで、コンテンツ再生部１２が、コンテンツ受信部１１が受信したコンテンツを再生する（Ｓ４）。再生したコンテンツの映像はディスプレイ（図示せず）に表示され、再生したコンテンツの音声は、スピーカー（図示せず）から出力される。
次いで、電子透かし抽出部１３が、コンテンツ再生部１２が再生したコンテンツの音声データに一定の時間ごとに含まれている電子透かしを抽出し、抽出した電子透かし（音声データ）をコードデータに変換して出力する（Ｓ５）。
【００５２】
次いで、視聴者分類情報生成部１４が、電子透かし抽出部１３が出力したコードデータから、コンテンツ再生部１２でのコンテンツの再生時間を求め、その再生時間に基づいてそのコンテツの視聴者（コンテンツの再生者）を分類した視聴者分類情報を生成する（Ｓ６）。
具体的には、視聴者ＩＤごとに、所定の期間内（例えば一か月）にコンテンツを再生した時間を集計し、例えば、図５に示すように、その集計時間から視聴者を「Ａ」、「Ｂ」、「Ｃ」にランク分けした視聴者分類情報を生成する。
また、ステップＳ６においては、視聴者ＩＤで特定される各視聴者について、各所定の期間内（例えば一か月）に、コンテンツ種別情報ごとに視聴割合（再生した時間／全時間）を求め、例えば、図６に示すように、最も視聴割合の高いコンテンツ種別情報を選定し、選定したコンテンツ種別情報を視聴者分類情報として生成してもよい。
このステップＳ６の視聴者分類情報の生成と並行して、視聴情報作成部１５が、電子透かし抽出部１３が出力したコードデータに基づいて、コンテンツ再生部１２が再生したコンテンツの視聴情報を作成する（Ｓ７）。
具体的には、例えば図７に示すように、電子透かし抽出部１３から送られてくるコードデータから得られるコンテンツ識別番号（ＩＤ）、メディア識別番号（ＩＤ）、コンテンツ種別情報、視聴（再生）開始時間、視聴（再生）終了時間に、視聴者ＩＤ、視聴日（再生日）を加え、これに履歴ＩＤを付した視聴情報を作成する。
最後に、記憶部１６が、視聴者分類情報生成部１４が生成した視聴者分類情報や視聴情報作成部１５が作成した視聴情報を記憶し（Ｓ７）、処理を終了する。
【００５３】
［コンテンツ視聴者分類情報生成システム２０の動作］
図１２は、コンテンツ視聴者分類情報生成システム２０の動作を示すフローチャートであり、以下図に基づいてコンテンツ視聴者分類情報生成システム２０の動作を説明する。
まず、端末装置３０において、コンテンツ視聴者分類情報生成システム２０を動作させるアプリケーション（プログラム）を起動させ（Ｓ１０）、視聴者ＩＤを入力する（Ｓ１１）。視聴者ＩＤの入力は、端末装置３０の入力部（図示せず）を操作することにより行われる。
次いで、端末装置３０において、コンテンツ受信部３１が、テレビ放送、ラジオ放送、インターネット等により配信されるコンテンツを受信する（Ｓ１２）。コンテンツ受信部３１が受信するコンテンツの音声データには、一定の時間ごとに電子透かしが埋め込まれている。
次いで、コンテンツ再生部３２が、コンテンツ受信部３１が受信したコンテンツを再生する（Ｓ１３）。再生したコンテンツの映像は端末装置３０のディスプレイ（図示せず）に表示され、再生したコンテンツの音声は、端末装置３０のスピーカー（図示せず）から出力される。
次いで、電子透かし抽出部３３が、コンテンツ再生部３２が再生したコンテンツの音声データに一定の時間ごとに含まれている電子透かしを抽出し、抽出した電子透かし（音声データ）をコードデータに変換して出力する（Ｓ１４）。
次いで、送信部３９が、電子透かし抽出部３３が出力したコードデータを、通信回線２１を介してサーバー４０に送信する（Ｓ１５）。
【００５４】
この後、サーバー４０において、受信部４１が、端末装置３０から送信されるコードデータを受信する（Ｓ１６）。
次いで、視聴者分類情報生成部４４が、受信部４１より送られるコードデータから、コンテンツ再生部３２でのコンテンツの再生時間を求め、その再生時間に基づいてそのコンテツの視聴者（コンテンツの再生者）を分類した視聴者分類情報を生成する（Ｓ１７）。
具体的には、視聴者ＩＤごとに、所定の期間内（例えば一か月）にコンテンツを再生した時間を集計し、例えば、図５に示すように、その集計時間から視聴者を「Ａ」、「Ｂ」、「Ｃ」にランク分けした視聴者分類情報を生成する。
また、ステップＳ１７においては、視聴者ＩＤで特定される各視聴者について、各所定の期間内（例えば一か月）に、コンテンツ種別情報ごとに視聴割合（再生した時間／全時間）を求め、例えば、図６に示すように、最も視聴割合の高いコンテンツ種別情報を選定し、選定したコンテンツ種別情報を視聴者分類情報として生成してもよい。
このステップＳ１７の視聴者分類情報の生成と並行して、視聴情報作成部４５が、受信部４１より送られるコードデータに基づいて、コンテンツ再生部３２が再生したコンテンツの視聴情報を作成する（Ｓ１８）。
具体的には、例えば図７に示すように、受信部４１から送られてくるコードデータから得られるコンテンツ識別番号（ＩＤ）、メディア識別番号（ＩＤ）、コンテンツ種別情報、視聴（再生）開始時間、視聴（再生）終了時間に、視聴者ＩＤ、視聴日（再生日）を加え、これに履歴ＩＤを付した視聴情報を作成する。
最後に、記憶部４６が、視聴者分類情報生成部４４が生成した視聴者分類情報や視聴情報作成部４５が作成した視聴情報を記憶し（Ｓ１９）、処理を終了する。
【００５５】
［広告情報作成部１７、４７等の動作］
図１３は、広告情報作成部１７、４７等による広告情報の作成と広告情報の配信の動作を示すフローチャートであり、以下図に基づいて広告情報の作成と広告情報の配信の動作を説明する。
まず、広告情報作成部１７、４７が、記憶部１６、４６に記憶された視聴者分類情報を読み出し（Ｓ２０）、読み出した視聴者分類情報に基づいて、コンテンツの視聴者に配信すべき広告情報を作成する（Ｓ２１）。
具体的には、視聴者ＩＤで特定される視聴者に対し、例えば、図９に示すように、次にコンテンツが再生された場合に配信すべき広告を特定する配信広告ＩＤを広告情報として作成する。
次いで、サーバー４０等の配信装置（図示せず）が、広告配信を許可している視聴者に対して、通信回線２１等を介して、端末装置３０等の視聴者が所有している端末装置に配信し（Ｓ２２）、処理を終了する。
【００５６】
［報酬情報作成部１８、４８等の動作］
図１４は、報酬情報作成部１８、４８等による報酬情報の作成と報酬の分配の動作を示すフローチャートであり、以下図に基づいて報酬情報の作成と報酬の分配の動作を説明する。
まず、報酬情報作成部１８、４８が、記憶部１６、４６に記憶された視聴者分類情報を読み出し（Ｓ３０）、読み出した視聴者分類情報に基づいて、コンテンツの視聴者に分配すべき報酬情報を作成する（Ｓ３１）。
具体的には、視聴者ＩＤで特定される視聴者に対し、例えば、図１０に示すような付与ポイントを報酬情報として作成する。
次いで、サーバー４０等に設けられたポイント管理装置等の報酬分配装置（図示せず）が、報酬情報作成部１８、４８が作成した報酬情報に基づく報酬（例えば付与ポイント）を視聴者に分配し（Ｓ３２）、処理を終了する。
【産業上の利用可能性】
【００５７】
本発明のコンテンツ視聴者分類情報生成システム、コンテンツ視聴者分類情報生成方法及びプログラムは、視聴者に提供されるコンテンツの音声に埋め込まれた電子透かしを利用して、そのコンテンツの再生（視聴）時間等から視聴者を分類した情報が得られるようにし、コンテンツの利用拡大に寄与する。
【符号の説明】
【００５８】
１０  コンテンツ視聴情報作成システム
１１  コンテンツ受信部
１２  コンテンツ再生部
１３  電子透かし抽出部
１４  視聴者分類情報生成部
１５  視聴情報作成部
１６  記憶部
１７  広告情報作成部
１８  報酬情報作成部
２０  コンテンツ視聴者分類情報生成システム
２１  通信回線
３０  端末装置
３１  コンテンツ受信部
３２  コンテンツ再生部
３３  電子透かし抽出部
３９  送信部
４０  サーバー
４１  受信部
４４  視聴者分類情報生成部
４５  視聴情報作成部
４６  記憶部
４７  広告情報作成部
４８  報酬情報作成部である。
ＣＤ  コンテンツデータ
ＰＤ  映像データ
ＳＤ  音声データ
Ｓ１、Ｓ２、Ｓ３、Ｓ９９、Ｓ１００  電子透かし
ｓｄ１  コンテンツ識別番号（ＩＤ）
ｓｄ２  メディア識別記号（ＩＤ）
ｓｄ３  コンテンツ種別情報
ｓｄ４  時間番号（１Ｄ）
【図１】
2017182468.tif 000003
【図２】
2017182468.tif 000004
【図３】
2017182468.tif 000005
【図４】
2017182468.tif 000006
【図５】
2017182468.tif 000007
【図６】
2017182468.tif 000008
【図７】
2017182468.tif 000009
【図８】
2017182468.tif 000010
【図９】
2017182468.tif 000011
【図１０】
2017182468.tif 000012
【図１１】
2017182468.tif 000013
【図１２】
2017182468.tif 000014
【図１３】
2017182468.tif 000015
【図１４】
2017182468.tif 000016